(57)【要約】【課題】従来の電気掃除機において、搭載している脱臭フィルターと排気空気との接触時間が短く、脱臭効率が小さく臭気の低減も小さいという課題を有していた。【解決手段】塵埃検出手段の上流側の経路を集塵が通過する集塵通過路２２と脱臭剤を吸引する脱臭剤通過路２４とに二分し、その通路を切換える通路切換え手段２５を設けて、通路を手動で切換え可能にしたもので、臭いのする塵埃を吸引したと判断した場合、通路切換え手段２５により脱臭剤２３を塵埃捕集手段３に流入させる脱臭剤通過路２４に手動で切換えることができ、使用者の意思で自在に塵埃捕集手段に直接脱臭剤２３を流入させることができ、塵埃の臭いを確実に脱臭剤で脱臭できるようになり排気の臭気を大幅に低減した電気掃除機を提供することができる。【選択図】図３
2008036111.tif 000002
【特許請求の範囲】
【請求項１】
吸引力を発生する電動送風機と、吸引された塵埃を捕集する塵埃捕集手段と、塵埃の臭いを脱臭する粉状または粒状の脱臭剤と、前記電動送風機の吸引力により前記脱臭剤を流入させる脱臭剤流入手段と、集塵経路を、集塵が通過する集塵通過路と外気孔より外気を吸込むと共に前記脱臭剤を前記塵埃捕集手段に導く脱臭剤通過路に二分し、前記脱臭剤流入手段を脱臭剤通過路の途中に設け、前記集塵通過路と脱臭剤通過路を手動により切換え可能な通路切換え手段を有することを特徴とする電気掃除機。
【請求項２】
集塵通過路と脱臭剤通過路の切換えを検知する通路切換え検知手段と、二分された集塵経路より下流側に設けられ、集塵通過路内を通過した塵埃の量および脱臭剤通過路内を通過した脱臭剤の量とを検出する塵埃検出手段と、掃除を開始してから、前記塵埃検出手段が通路切換え手段により集塵通過路側に切換えられ前記集塵通過路が塵埃捕集手段と連通しているときに検出した塵埃の量を表示する塵埃量表示手段と、通路切換え手段が脱臭剤通過路に切換えられ、前記脱臭剤通過路が塵埃捕集手段と連通しているときに前記塵埃検出手段が検出した脱臭剤の量を表示する脱臭剤流入量表示手段とを備え、塵埃の量と脱臭剤の量とを表示することを特徴とする請求項１記載の電気掃除機。
【請求項３】
脱臭剤がなくなったことを知らせるための脱臭剤補充表示手段を設け、通路切換え手段が脱臭剤通過路側に切換えられ、且つ塵埃検出手段が自身を通過する脱臭剤の量を検出できない場合に、前記脱臭剤補充表示手段により脱臭剤がなくなったことを使用者に知らせる請求項２記載の電気掃除機。
【請求項４】
脱臭剤流入手段より上流側の脱臭剤通過路に、フィルターを設けたこと特徴とする請求項２または３記載の電気掃除機。
【発明の詳細な説明】
【技術分野】
【０００１】
本発明は、集塵された塵埃の臭いを抑制するための消臭剤の投入方法に関するものである。
【背景技術】
【０００２】
従来から電気掃除機の排気脱臭に関しては、排気経路に脱臭フィルターを搭載する構成のものが提案されている（例えば、特許文献１参照）。
【特許文献１】特許第３２３８０５５号公報
【発明の開示】
【発明が解決しようとする課題】
【０００３】
しかしながら、上記の排気経路に脱臭フィルターを搭載する方法では、電気掃除機の吸引量が大きいため、脱臭フィルターと臭気を含む排気空気との接触時間が短くなり、脱臭効率が小さく臭気の低減も小さいという課題を有するものであった。
【０００４】
本発明は、上記の課題を解決するものであり、脱臭剤を直接集塵部に投入し、塵埃の臭気を除去することにより、排気の臭気を大幅に低減した電気掃除機を提供することを目的としている。
【課題を解決するための手段】
【０００５】
前記従来の課題を解決するために、本発明の電気掃除機は、吸引力を発生する電動送風機と、吸引された塵埃を捕集する塵埃捕集手段と、塵埃の臭いを脱臭する粉状または粒状の脱臭剤と、前記電動送風機の吸引力により前記脱臭剤を流入させる脱臭剤流入手段と、集塵経路を、集塵が通過する集塵通過路と外気孔より外気を吸込むと共に前記脱臭剤を前記塵埃捕集手段に導く脱臭剤通過路に二分し、前記脱臭剤流入手段を脱臭剤通過路の途中に設け、前記集塵通過路と脱臭剤通過路を手動により切換え可能な通路切換手段を有することを特徴としたものであり、使用者がペットの毛など、臭いのする塵埃を吸引したと判断した場合、通路切換手段により脱臭剤通過路に切換えることで、自在に塵埃捕集手段に直接脱臭剤を流入させることができる。
【発明の効果】
【０００６】
本発明の電気掃除機は、使用者がペットの毛など、臭いのする塵埃を吸引したと判断した場合、通路切換手段により脱臭剤通過路に切換えることで、自在に塵埃捕集手段に直接脱臭剤を流入させることがでるため、塵埃を確実に脱臭剤で脱臭できるようになり排気の臭気を大幅に低減した電気掃除機を提供することができる。
【発明を実施するための最良の形態】
【０００７】
第１の発明は、吸引力を発生する電動送風機と、吸引された塵埃を捕集する塵埃捕集手段と、塵埃の臭いを脱臭する粉状または粒状の脱臭剤と、前記電動送風機の吸引力により前記脱臭剤を流入させる脱臭剤流入手段と、集塵経路を、集塵が通過する集塵通過路と外気孔より外気を吸込むと共に前記脱臭剤を前記塵埃捕集手段に導く脱臭剤通過路に二分し、前記脱臭剤流入手段を脱臭剤通過路の途中に設け、前記集塵通過路と脱臭剤通過路を手動により切換え可能な通路切換手段を有することを特徴としたものであり、使用者がペットの毛など、臭いのする塵埃を吸引したと判断した場合、通路切換手段により脱臭剤通過路に切換えることで、自在に塵埃捕集手段に直接脱臭剤を流入させることができ、排気の臭気を大幅に低減した電気掃除機を提供することができる。
【０００８】
第２の発明は、集塵通過路と脱臭剤通過路の切換えを検知する通路切換え検知手段と、二分された集塵経路より下流側に設けられ、集塵通過路内を通過した塵埃の量および脱臭剤通過路内を通過した脱臭剤の量とを検出する塵埃検出手段と、掃除を開始してから、前記塵埃検出手段が通路切換手段により集塵通過路側に切換えられ前記集塵通過路が塵埃捕集手段と連通しているときに検出した塵埃の量を表示する塵埃量表示手段と、通路切換手段が脱臭剤通過路に切換えられ、前記脱臭剤通過路が塵埃捕集手段と連通しているときに前記塵埃検出手段が検出した脱臭剤の量を表示する脱臭剤流入量表示手段とを備え、塵埃の量と脱臭剤の量とを表示することを特徴としたものであり、塵埃捕集手段に流入した塵埃量を使用者が認識でき、かつ通路切換手段により脱臭剤通過路に切換えた際、使用者は塵埃捕集手段に流入する脱臭剤量を認識できるため、使用者自身が塵埃量に対する脱臭剤流入量を自在に調整できるようになるため、より使用性が向上した電気掃除機を提供することができる。
【０００９】
第３の発明は、脱臭剤がなくなったことを知らせるための脱臭剤補充表示手段を設け、通路切換手段が脱臭剤通過路側に切換えられ、且つ塵埃検出手段が自身を通過する脱臭剤の量を検出できない場合に、前記脱臭剤補充表示手段により脱臭剤がなくなったことを使用者に知らせるものであり、より使用性が向上した電気掃除機を提供することができる。
【００１０】
第４の発明は、脱臭剤流入手段より上流側の脱臭剤通過路に、フィルターを設けたこと特徴としたものであり、フィルターを脱臭剤流入手段より上流側に設けることで外気中の塵埃が脱臭剤と共に塵埃検知手段を通過することを防止でき、より正確に塵埃捕集手段に流入する脱臭剤量を検出できる電気掃除機を提供することができる。
【００１１】
以下、本発明の実施の形態について、図面を参照しながら説明する。なお、本実施の形態によって本発明が限定されるものではない。
【００１２】
（実施の形態１）
本発明の第１の実施の形態における電気掃除機について、図１〜図７を用いて説明する。
【００１３】
図１は、本実施の形態における電気掃除機の全体斜視図であり、１は掃除機本体で、後部に電動送風機２が配され、前部に塵埃を捕集する塵埃捕集手段３が配されている。掃除機本体１の前部には、ホース８の一端に設けた接続パイプ９が着脱自在に接続される吸気口１０が設けられている。ホース８の他端には、掃除動作を操作する手元操作部１１を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動する電動機１５を内蔵した吸い込み具１６に着脱自在に接続される。
【００１４】
図２は、本実施の形態における接続パイプ９の側面および上面図である。また図３は同接続パイプ９の側断面図である。塵埃捕集手段３よりも上流側に位置する接続パイプ９には、ホース８を通じて塵埃を塵埃捕集手段３へ導く集塵通過路２２と粉状または粒状の脱臭剤２３を塵埃捕集手段３に導く脱臭剤通過路２４とを切換える通路切換手段２５が配されている。なお通路切換手段２５は回動軸２６の回動動作により通路を切換えることができ、接続パイプ９の外側に設けられた通路切換レバー２７により切換えができる。また脱臭剤通過路２４には電動送風機２の吸引力により外気を吸引するための外気孔２９、脱臭剤通過路２４中には塵埃捕集手段３に脱臭剤２３を流入させる脱臭剤流入手段２８が設けられている。さらに外気孔２９にはフィルター３０が配されている。脱臭剤流入手段２８には外気孔２９と塵埃捕集手段３を連通させる孔３１であり、脱臭剤２３は下流側の孔３１ａを通過し塵埃捕集手段３に流入する。
【００１５】
以上のように構成された電気掃除機において、その動作を説明する。
【００１６】
使用者が掃除作業をしているときは、通路切換レバー２７を塵埃吸引側に操作しておく。つまりホース８を通じて塵埃を塵埃捕集手段３へ導く集塵通過路２２を開通するように被掃除面の塵埃吸引ができるようにしておく。掃除中、使用者がペットの毛など、臭いのする塵埃を吸引した場合、そのまま臭いのする塵埃を吸引し放置させておくと、塵埃捕集手段３内から異臭が発生することがある。そのため、使用者がペットの毛など、臭いのする塵埃を吸引したと判断した場合、通路切換レバー２７を脱臭剤吸引側に操作して、脱臭剤２３を塵埃捕集手段３に導く脱臭剤通過路２４を開通するようにし、電動送風機２の吸引力により塵埃捕集手段３に脱臭剤２３を流入させる。
【００１７】
このように、使用者がペットの毛など、臭いのする塵埃を吸引したと判断した場合、通路切換手段２５により脱臭剤通過路２４に切換えることで、自在に塵埃捕集手段３に直接脱臭剤２３を流入させることがでるため、塵埃の臭いを確実に脱臭剤で脱臭できるようになり、排気の臭気を大幅に低減した電気掃除機を提供することができる。
【００１８】
なお、本実施の形態では切換え手段２５および塵埃検出手段２１を接続パイプ９内に配しているが、本体１内および先端パイプ１２内、延長管１３に内蔵する構成でもよい。
【００１９】
（実施の形態２）
図５は、本発明の第２の実施の形態における接続パイプ９の側断面図である。また、実施の形態１と同一部分においては同一符号を用いて説明を省略する。塵埃捕集手段３よりも上流側に位置する接続パイプ９には、塵埃が流れる空気通路内に光を放つ発光部２３０、発光部２３０からの光を受光し受光量に応じた信号を出力する受光部２３１より構成され、受光部２３１と発光部２３０とが塵埃の流れる空気通路に対向して配されてなる塵埃検出手段２１が設けられている。塵埃検出手段２１の上流側には、ホース８を通じて塵埃を塵埃捕集手段３へ導く集塵通過路２２と脱臭剤２３を塵埃検出手段２１を通じ塵埃捕集手段３に導く脱臭剤通過路２４とを切換える通路切換手段２５が配されている。なお通路切換手段２５は回動軸２６の回動動作により通路を切換えることができ、接続パイプ９の外側に設けられた通路切換レバー２７により切換えができる。また脱臭剤通過路２４には電動送風機２の吸引力により外気を吸引するための外気孔２９、脱臭剤通過路２４中には塵埃捕集手段３に脱臭剤２３を流入させる脱臭剤流入手段２８が設けられている。さらに外気孔２９にはフィルター３０が配されている。脱臭剤流入手段２８には外気孔２９と塵埃捕集手段３を連通させる孔３１であり、脱臭剤２３は下流側の孔３１ａを通過し塵埃捕集手段３に流入する。集塵通過路２２には通路切換レバー２７の操作により動作する通路切換手段２５が集塵通過路２２を開通する側にあるのか、脱臭剤通過路２４を開通する側にあるのかを検知する通路切換え検知手段３２が設けられている。
【００２０】
図６はこの電気掃除機のブロック図で６０は電動送風機２を駆動するための双方向性サイリスタなどで構成された駆動手段である。６１はマイクロコンピュータなどで構成される判断制御手段である。掃除機本体１の電源がＯＮされると判断制御手段６１は駆動手段６０へ駆動信号を送る。塵埃検出手段２１の出力信号はオペアンプやコンパレータなどで構成し、増幅機能とフィルター機能を持たせている変換部６４で、塵埃検出手段２１で検出されたアナログ信号をパスル信号に変換して判断制御手段６１に伝達している。６５は塵埃検出信号を受けてカウントする塵埃計数手段であり、掃除開始からのゴミパスル数の蓄積を行っている。６６はゴミパルスの蓄積数を記憶する記憶手段で、終了したときの蓄積パルス数を記憶しておき、次回の掃除時には記憶された値からカウント数を蓄積していく。この蓄積されているゴミパスル数は判断制御手段６１を通じ塵埃量表示手段６７により使用者に分かるように表示される。また、使用者がペットの毛など、臭いのする塵埃を吸引したと判断した場合、通路切換レバー２７を脱臭剤吸引側に操作されるため、通路切換手段２５は脱臭剤通過路２４を開通するようになり、通路切換え検知手段３２により検知される。判断制御手段６１は通路切換え検知手段３２の情報に基づき、塵埃検出手段６２で検出されるアナログ信号を脱臭剤パスル数として判断し、脱臭剤量検知手段６８により使用者に分かるように表示される。このとき脱臭剤パスル数が検出されない場合は脱臭剤補充手段６９により脱臭剤２３が塵埃捕集手段３に流入されてないことを表示する。
【００２１】
以上のように構成された電気掃除機において、その動作を説明する。
【００２２】
まず、本体１を商用電源（図示せず）に接続し、使用者が掃除機本体１の電源（図示せず）をＯＮさせると判断制御手段６１は駆動手段６１へ駆動信号を送る。駆動手段６１は送られてきた信号によって電動送風機２への通電を行い、電動送風機２は回転を開始し、吸引力が発生する。このとき、使用者は被掃除面の塵埃を吸引したいため通路切換レバー２７は通路切換手段２５により集塵通過路２２を開通する塵埃吸引側にする。通路切換レバー２７を塵埃吸引側にすることにより通路切換え検知手段３２は集塵通過路２２を開通されたことを検知することができる。検知された情報は切換え検知表示手段３３に表示される。
【００２３】
電動送風機２によって発生した吸引力によって、吸込み具１６から吸引された塵埃は、延長管１３、ホース８を経て本体１内の塵埃捕集手段３に集塵される。この間、塵埃が塵埃検出手段２１を通過すると、つまり発光部２３０と受光部２３１の間を塵埃が通過すると受光量が図７のように変化する。また、この受光量の変化は小さいため、このアナログ信号を増幅し、この結果が、所定の閾値を越えていれば、塵埃検出信号として出力するようになっている。次に、塵埃計数手段６５は塵埃検出信号をカウントし、判断制御手段６１を通じ塵埃量表示手段６７により塵埃量を表示する。
【００２４】
使用者がペットの毛など、臭いのする塵埃を吸引したと判断した場合、通路切換レバー２７を脱臭剤吸引側に操作すると、通路切換手段２５は脱臭剤通過路２４を開通するようになり、通路切換え検知手段３２により検知される。脱臭剤通過路２４が開通した状態になると外気孔２８から外気が吸引され、その外気は、脱臭剤流入手段２８を通過し脱臭剤２３と共に塵埃検出手段２１を通過し、塵埃捕集手段３に流入する。また、判断制御手段６１は脱臭剤通過路２４が開通した状態になったことを通路切換え検知手段３２の信号により検知すると、塵埃検出手段２１で検出されるアナログ信号を脱臭剤パスル数として判断し、塵埃捕集手段３に流入する脱臭剤２３の量を判断し、判断制御手段６１を通じ脱臭剤量検知手段６８により脱臭剤量を表示する。このとき脱臭剤パスル数が検出されないと、判断制御手段６１は脱臭剤２３が塵埃捕集手段３に流入されてないと判断し、脱臭剤補充表示手段６９により表示をおこなう。
【００２５】
このように、塵埃捕集手段３に流入した塵埃量を使用者が認識でき、かつ使用者が通路切換レバー２７の操作により、通路切換手段２５を脱臭剤通過路２４に切換えた際、使用者は塵埃捕集手段３に流入する脱臭剤量を認識できるため、使用者自身が吸引した塵埃量に対する脱臭剤流入量を自在に調整できるようになるため、より使用性が向上した電気掃除機を提供することができる。
【産業上の利用可能性】
【００２６】
以上のように、本発明にかかる電気掃除機は、使用者がペットの毛など、臭いのする塵埃を吸引したと判断した場合、通路切換手段により脱臭剤通過路に切換えることで、自在に塵埃捕集手段に直接脱臭剤を流入させることがでるため、塵埃の臭いを脱臭剤で確実に脱臭できるようになり、排気の臭気を大幅に低減した電気掃除機を提供することができる。
【図面の簡単な説明】
【００２７】
【図１】本発明の実施の形態１における電気掃除機の全体斜視図
【図２】（ａ）同電気掃除機の接続パイプの側面図（ｂ）同電気掃除機の接続パイプの上面図
【図３】（ａ）同電気掃除機の接続パイプの集塵通過路を開通した場合の要部断面図（ｂ）同電気掃除機の接続パイプの脱臭剤通過路を開通した場合の要部断面図
【図４】（ａ）本発明の実施の形態２における電気掃除機の接続パイプの集塵通過路を開通した場合の要部断面図（ｂ）同電気掃除機の接続パイプの脱臭剤通過路を開通した場合の要部断面図
【図５】同電気掃除機のブロック図
【図６】（ａ）同電気掃除機の塵埃検出手段の動作概念図（ｂ）同電気掃除機の塵埃検出手段の領域と他の領域とにおける受光量との関係を表す相関図
【符号の説明】
【００２８】
１      本体
２      電動送風機
３      塵埃捕集手段
８      ホース
９      接続パイプ
１０    吸気口
１１    手元操作部
１２    先端パイプ
１３    延長管
１４    回転ブラシ
１６    吸込み具
２１    塵埃検出手段
２２    集塵通過路
２３    脱臭剤
２４    脱臭剤通過路
２５    通路切換手段
２６    回動軸
２７    通路切換レバー
２８    脱臭剤流入手段
２９    外気孔
３０    フィルター
３１    孔
３１ａ  孔（下流側）
３２    通路切換え検知手段
３３    切換え検知表示手段
６１    判断制御手段
６４    変換部
６５    塵埃計数手段
６６    記憶手段
６７    塵埃量表示手段
６８    脱臭剤量検知手段
６９    脱臭剤補充表示手段
【図１】
2008036111.tif 000003
【図２】
2008036111.tif 000004
【図３】
2008036111.tif 000005
【図４】
2008036111.tif 000006
【図５】
2008036111.tif 000007
【図６】
2008036111.tif 000008